(57)【要約】【課題】  吊り下げられた状態でも、また親指が不自由な患者であっても容易に操作できるナースコールの呼出スイッチを提供する。【解決手段】  長方形状のケース１の上面全体に開口部１ａを設け、その開口部１ａにスイッチ板２を嵌合した。スイッチ板２は、長手方向の一側が開口部１ａ内に枢着されて扉状に開閉動可能に嵌合され、握り操作されることでスイッチ板２が閉動作して呼出操作が成される。ケース１は、長手方向１００ｍｍ、幅３５ｍｍ、高さ２２ｍｍで形成した。【選択図】  図１
2005267979.tif 000002
【特許請求の範囲】
【請求項１】
上面の略全体を開口した横長の有底ケースと、前記開口した開口部に嵌合するスイッチ板とを有し、前記スイッチ板は、長手方向の一側が前記有底ケースに枢着して開閉動作可能に前記開口部に嵌合して成り、
前記有底ケースを握り操作することで、前記スイッチ板が閉動作し、呼出操作が成されることを特徴とするナースコールの呼出スイッチ。
【請求項２】
前記有底ケースは、底部が二重に形成されて有底ケース本体とブロック体とから成り、双方は長手方向の一側が互いに蝶着され、前記ブロック体が前記有底ケース本体に対して略１８０度回転可能であることを特徴とする請求項１記載のナースコールの呼出スイッチ。
【請求項３】
前記有底ケースは、底部が二重に形成されて有底ケース本体とブロック体とから成り、更に前記ブロック体は、長手方向に中央で分割されて左ブロック体と右ブロック体とから構成され、
前記有底ケース本体と前記ブロック体とは、長手方向の両側が互いに蝶着されて、前記左右のブロック体が互いに対向方向に略１８０度回転可能であり、前記有底ケース本体、前記左ブロック体、前記右ブロック体を一直線上に配置可能としたことを特徴とする請求項１記載のナースコールの呼出スイッチ。
【請求項４】
前記左右のブロック体は、前記有底ケース本体の底部に密着する方向へ回転力を有し、前記有底ケースが前記回転力により生ずる把持力でベッド等のパイプ部材を把持して固定可能であることを特徴とする請求項３に記載のナースコールの呼出スイッチ。
【請求項５】
前記開口部に、前記スイッチ板の押し圧を発生させるバネ手段を設けると共に前記バネ手段の弾性力を調整する押圧調整手段を設け、
前記押圧調整手段は、前記有底ケース或いは前記有底ケース本体の下方から操作可能な操作部を有し、外部からの操作で前記スイッチ板の押し圧を調整可能であることを特徴とする請求項１乃至４の何れかに記載のナースコールの呼出スイッチ。
【発明の詳細な説明】
【技術分野】
【０００１】
本発明は、病院等において患者が看護師を呼び出す際に使用するナースコールの呼出スイッチに関する。
【背景技術】
【０００２】
病院では、入院患者と看護師の間の情報のやりとりをスムーズに実施するためにナースコールシステムが導入されている。このナースコールシステムは、看護師を呼び出すために患者のベッド毎に設置されるナースコール子機と、ナースステーションに設置され、患者からの呼び出しに応答するためのナースコール親機とを備え、患者，看護師双方からの呼び出し及び通話が可能となっている。
そして、ベッド毎に設置されるナースコール子機は、患者が呼出操作するための呼出スイッチである握りボタンと、マイク、スピーカを有し、更に握りボタンを接続するコンセントを備えて壁面等に設置されるプレート子機とで構成されたものが広く使用され、握りボタンは、非特許文献１に示すように握りやすく棒状に形成された握り部と、その先端に設けられた押しボタン部から構成されている。
【非特許文献１】アイホン総合カタログ２００３／２００４年版 ｐ．３３１
【発明の開示】
【発明が解決しようとする課題】
【０００３】
しかしながら、上記従来のナースコールの握りボタンは、親指による押しボタンの押込操作で呼び出す形態であるため、手が不自由な患者、特に親指を使うことができない患者には使い勝手が悪いという問題があった。また、握りボタンが例えばベッド上に逆さに吊り下げられている場合、ベッドで寝ている患者が押しボタンを押そうとすると押し難かった。
そこで、本発明はこのような問題点に鑑み、親指が不自由な患者であっても、また吊り下げられた状態でも、容易に操作できるナースコールの呼出スイッチを提供することを目的とする。
【課題を解決するための手段】
【０００４】
上記課題を解決するため、請求項１の発明に係るナースコールの呼出スイッチは、上面の略全体を開口した横長の有底ケースと、開口した開口部に嵌合するスイッチ板とを有し、スイッチ板は、長手方向の一側が有底ケースに枢着して開閉動作可能に開口部に嵌合して成り、有底ケースを握り操作することで、スイッチ板が閉動作し、呼出操作が成されることを特徴とする。
この構成により、握り操作でスイッチがオンするので、親指による操作を必要としない。従って、患者の親指が不自由であっても呼出操作できる。また、操作部であるスイッチ板が大きく形成できるので、握力で容易に操作できるし、呼出スイッチが逆さに吊り下げられている状態であっても同様に容易に操作できる。
【０００５】
請求項２の発明は、請求項１の発明において、有底ケースは、底部が二重に形成されて有底ケース本体とブロック体とから成り、双方は長手方向の一側が互いに蝶着され、ブロック体が有底ケース本体に対して略１８０度回転可能であることを特徴とする。
この構成により、ブロック体を回転して底部を拡開すれば、卓上用の呼出スイッチとして使用することができ、握ることができない患者であっても押しボタンとして使用でき、押圧操作により呼出操作できる。
【０００６】
請求項３の発明は、請求項１の発明において、有底ケースは、底部が二重に形成されて有底ケース本体とブロック体とから成り、更にブロック体は、長手方向に中央で分割されて左ブロック体と右ブロック体とから構成され、有底ケース本体とブロック体とは、長手方向の両側が互いに蝶着されて、左右のブロック体が互いに対向方向に略１８０度回転可能であり、有底ケース本体、左ブロック体、右ブロック体を一直線上に配置可能としたことを特徴とする。
この構成により、ブロック体を拡開すれば卓上用の呼出スイッチとして使用することができ、握ることができない患者であっても押圧操作により操作できる。また、ブロック体を開いた状態でもスイッチ板はケース中央に配置され、操作し易い。
【０００７】
請求項４の発明は、請求項３の発明において、左右のブロック体は、有底ケース本体の底部に密着する方向への回転力を有し、有底ケースが回転力により生ずる把持力でベッド等のパイプ部材を把持して固定可能であることを特徴とする。
この構成により、呼出スイッチをベッドのパイプ部に固定しておくことができ、患者がベッドに横になった状態でも操作し易い位置に固定できる。
【０００８】
請求項５の発明は、請求項１乃至４の何れかの発明において、開口部に、スイッチ板の押し圧を発生させるバネ手段を設けると共にバネ手段の弾性力を調整する押圧調整手段を設け、押圧調整手段は、有底ケース或いは有底ケース本体の下方から操作可能な操作部を有し、外部からの操作でスイッチ板の押し圧を調整可能であることを特徴とする。
この構成により、スイッチ板の押し圧を調整でき、誤動作し易い場合は、押し圧を上げることで誤動作し難くなるし、握力或いは押圧力の弱い患者に対しては押し圧を弱くでき、取り付け場所や患者の状態に合わせて調整できる。
【発明の効果】
【０００９】
本発明によれば、握り操作でスイッチがオンするので、親指による操作を必要としない。従って、患者の親指が不自由であっても呼出操作できる。また、操作部であるスイッチ板が大きく形成できるので、握力で容易に操作できるし、呼出スイッチが逆さに吊り下げられている状態であっても同様に容易に操作できる。
【発明を実施するための最良の形態】
【００１０】
以下、本発明を具体化した実施の形態を、図面に基づいて詳細に説明する。
（第１実施形態）
図１は本発明に係るナースコールの呼出スイッチの第１実施形態を示し、１は呼出スイッチの有底ケース（以下、単にケースとする）、２は看護師を呼び出す際に押下するスイッチ板、３は呼出スイッチの呼出信号が伝送される伝送線である。ケース１及びスイッチ板２は合成樹脂で作製され、ケース１内部にはスイッチ板２の操作によりスイッチング動作するスイッチ機構が内蔵されている。
また、ケース１は長手方向が１００ｍｍ、短手方向が３５ｍｍ、高さが２２ｍｍで形成され、患者が握りやすい大きさ及び形状となっている。
【００１１】
ケース１は長方形状の箱体であり、上面は全体が開口され、スイッチ板２を収容する開口部１ａが形成されている。そして、伝送線３が一方の短手側面から伸びている。スイッチ板２は、ケース１の開口部１ａを閉塞するよう略同一形状の長方形状に形成され、開口部１ａに、長手方向の一側がケースに枢着して嵌合配置される。
詳しくは、スイッチ板２の短手側の対向する端部には回動軸となる突起（図示せず）が形成され、対応するケース１の開口部１ａ内の短手側にはその突起が挿入される凹部（図示せず）が形成され、スイッチ板２を嵌合した際、長手側の一方がケースに軸着される。その結果、スイッチ板２は、開口部１ａに嵌合した状態で扉のごとく開閉動可能となっている。
【００１２】
また、スイッチ板２の背部となる開口部１ａ内には、スイッチ板２に押し圧を発生させるバネ手段としてのコイルバネ１３（図５に示す）が設けられ、図１に示すように、スイッチ板２は、ケース１に嵌合した状態で、長手側の他方がコイルバネ１３の作用で上方に突出した状態を維持している。
この状態で呼出スイッチが握り操作されると、スイッチ板２は握力で軸着部を支点に回動し、スイッチ板２の突出部がケース内に入って行く。その結果、ケース１内部のスイッチ機構はオン動作して呼び出しが成される。そして、握るのを止めると、スイッチ板２の一端は突出した位置に復帰する。
【００１３】
このように、親指による操作を必要としないし、操作部であるスイッチ板が大きく形成されるので、指の不自由な患者であっても握力を発揮できれば容易にスイッチ操作できる。また、呼出スイッチが逆さに吊り下げられている状態であっても、ベッドに横になっている患者により容易に握り操作ができ呼出操作できる。
【００１４】
（第２実施形態）
図２は、本発明のナースコールの呼出スイッチの第２実施形態を示し、（ａ）は斜視図、（ｂ）は底部を開いた状態の斜視図である。上記第１実施形態との相違点は、ケース底部が二重に形成されている点であり、ケース１は、上部のケース本体５と下部のブロック体６とで形成されている。尚、図１と同一の構成要素には同一の符号を付与して説明を省略する。
詳しく説明すると、ケース本体５は、長方形状の箱体であり、上面は全体が開口され、スイッチ板２を収容する開口部５ａが形成されている。そして、スイッチ板２は第１実施形態と同様に、ケース本体５の開口部５ａと略同一形状の長方形状に形成され、開口部５ａに嵌合配置される。そして、スイッチ板２の短手側の対向する端部には、回動軸となる突起（図示せず）を有し、対応するケース開口部５ａ内の短手側には、その突起を挿入する凹部（図示せず）が形成され、スイッチ板２を嵌合した際、スイッチ板２は扉のごとく回動可能に嵌合される。
【００１５】
ブロック体６は、ケース本体５と同一形状で形成され、密閉形成されている。そして、ケース本体５とは、長手方向の１側部に設けた一対のヒンジ部材７により互いに開閉可能に蝶番の如く連結され、図２（ｂ）に示すようにケース本体５に対してブロック体６は１８０度回転するよう形成されている。また、ケース本体５とブロック体６から成るケース１は、上記図１と同一の寸法で形成され、ブロック体６を開いた状態のケース高さは１１ｍｍとなる。
尚、ヒンジ部材７は、回転軸部を備えた蝶番を用いるのが好ましいが、単にケース本体５及びブロック体６と共に一体成型により作製し、帯状の樹脂成形体としても良い。
【００１６】
このように、ケースをケース本体とブロック体とで二重に作製し、ブロック体を開閉可能にケース本体に連結することで、ケースを開けばテーブル等の平坦な場所に安定した状態で置くことができる。そのため、本来の握り操作で呼び出すスイッチとして使用できるし、薄くして卓上用の押しボタンとして使用することもでき、握ることができない患者であっても押圧操作により呼出操作できる。
尚、この場合、ケース本体５及びブロック体６のテーブル等への接触面にシート状のマグネットを貼着しておけば、載置面が金属板等の磁性部材であれば固定した押しボタンとして使用することもでき、便利である。
【００１７】
（第３実施形態）
図３は、本発明のナースコールの呼出スイッチの第３実施形態を示し、（ａ）は上方視斜視図、（ｂ）は下方視斜視図である。上記第２実施形態との相違点は、ブロック体が２分割されて形成されると共に、スイッチ板２の押し圧が調整可能となっている点が大きく相違している。尚、上記第２実施形態と同一の構成要素には同一の符号を付与して説明を省略する。
【００１８】
詳しく説明すると、ケース１は、上部のケース本体９と下部のブロック体１０とから成り、ケース本体９は、上記実施形態と同様に長方形状の箱体であり、上面は全体が開口され、スイッチ板２を収容する開口部９ａが形成されているし、スイッチ板２は、ケース本体９の開口部９ａと略同一形状の長方形状に形成され、短手側の対向する端部には、回動軸となる突起（図示せず）が形成されている。また、対応するケース開口部９ａ内の短手側には、その突起を挿入する凹部（図示せず）が形成され、スイッチ板２を嵌合した際、スイッチ板２は扉のごとく回動可能に嵌合される。
【００１９】
ブロック体１０は、ケース本体９と略同一形状で形成されている。但し、左ブロック体１０ａと右ブロック体１０ｂから成り、左右対称に分割形成され、夫々密閉形成されている。そして、ケース本体９とブロック体１０とは、長手方向の両側部に設けた夫々一対のヒンジ部材７，７で連結され、図４に示すように略１８０度開くことができ、開いた状態でケース本体９と左右のブロック体１０ａ，１０ｂは一直線上に配置することができる。
尚、図４（ａ）はブロック体１０を開いた状態の上方視斜視図、図４（ｂ）は同様に開いた状態の下方視斜視図を示している。また、ケース本体９とブロック体１０から成るケース１は、上記図１と同一の寸法で形成され、ブロック体１０を開いた状態ではケース高さが１１ｍｍと低くなる。また、ヒンジ部材７は、回転軸を有する蝶番を用いるのが堅牢に構成でき好ましいが、単にケース本体９及び左右のブロック体１０ａ，１０ｂと一体成型して作製し、樹脂成形で帯状に作製しても良い。
【００２０】
また、図５は図４（ｂ）に示すＡ−Ａ線で切断した説明図を示している。この図５に示すように、開口部９ａ内には、スイッチ板２に押圧力を与えるバネ手段としてのコイルバネ１３が設けられ、コイルバネ１３上端はスイッチ板２の裏面に設けられたリブ１４で保持され、コイルバネ１３の下端は、調整コマ１５に連結されている。
この調整コマ１５は、押圧力となる弾性力を調整する押圧調整手段であり、ケース本体９底面を貫通するよう設けられ、ネジ状にケース本体９の底面に螺着されている。そして、ケース本体９底部に露出したボタン状の操作部１５ａを有し、下方から回転操作することで進退動作し、コイルバネ１３を伸縮させるよう形成されている。
【００２１】
このように、ケースをケース本体とブロック体とで二重に作製し、ブロック体を開閉可能にケース本体に連結することで、ケースを開けばテーブル等の平坦な場所に安定した状態で置くことができる。そのため、本来の握り操作で呼び出すスイッチとして使用できるし、薄くして卓上用の押しボタンとして使用することもでき、握ることができない患者であっても押圧操作により呼出操作できる。また、スイッチ板の押し圧を調整できるので、誤動作し易い場合は、押し圧を上げることで誤動作し難くなるし、握力或いは押圧力の弱い患者に対しては押し圧を弱くでき、使用状況や患者に合わせて調整できる。更に、ブロック体を開いた状態でもスイッチ板はケース中央に配置されるので、操作し易いしデザインバランスも好ましい。
尚、この実施形態もケース本体９或いは左右ブロック体１０ａ，１０ｂのテーブル等への接触面にシート状のマグネットを貼着しておけば、載置面が金属板等の磁性部材であれば固定した押しボタンとして使用することもでき、便利である。
【００２２】
（第４実施形態）
図６は、本発明のナースコールの呼出スイッチの第４実施形態を示し、（ａ）は上方視斜視図、（ｂ）は下方視斜視図である。上記第３実施形態とは、左右のブロック体１８ａ，１８ｂを有している点は同様であるが、左右のブロック体１８ａ，１８ｂはケース本体１７底部を閉塞する閉じる方向に回転力を有し、付勢された状態て連結されている点が主に相違している。尚、第３実施形態と同一の構成要素には同一の符号を付与して説明を省略する。
【００２３】
詳しく説明すると、ケース１は、上部のケース本体１７とブロック体１８とから成り、ケース本体１７は、上記実施形態と同様に長方形状の箱体であり、上面は全体が開口され、スイッチ板２を収容する開口部１７ａが形成されているし、スイッチ板２は、ケース本体１７の開口部１７ａと略同一形状の長方形状に形成され、短手側の対向する端部には、回動軸となる突起（図示せず）が形成されている。また、対応する開口部１７ａ内の短手側には、その突起を挿入する凹部（図示せず）が形成され、スイッチ板２を嵌合した際、スイッチ板２は扉のごとく回動可能に嵌合される。
【００２４】
ブロック体１８は、上記第３実施形態と同様に、ケース本体１７と略同一形状で形成され、対称形状の左ブロック体１８ａと右ブロック体１８ｂから構成されている。そして、ケース本体１７とブロック体１８とは、ケース本体１７の長手方向の両側部に設けた夫々一対のヒンジ部材７，７、及びバネが内蔵されたトルクヒンジ１９で連結されている。トルクヒンジ１９は、長手方向の両側部中央に配置され、左右のブロック体１８ａ，１８ｂに対して常にケース本体１７の底部を閉塞する方向への回転力を有し、左右のブロック体１８ａ，１８ｂは閉塞方向に常時付勢されている。
また、ケース本体１７の底面、及び左右ブロック体１８ａ，１８ｂのケース本体当接面には夫々ゴム片２０，２１ａ、２１ｂが貼着されている。このうちケース本体１７に貼着されたゴム片２０は、長手方向に沿った中央に窪み２０ａが形成され、パイプ状のものに密着しやすい形状となっている。
【００２５】
図７は、上記呼出スイッチをベッドのパイプ部２２に取り付けた状態を示し、このように、左右ブロック体はトルクヒンジにより把持力を発揮し、ベッド周囲等のパイプ部を把持させて固定しておくことが可能であり、患者がベッドに横になった状態でも操作がし易くなるし、握り操作のできない患者であっても操作が可能となる。そして、パイプに当接する部位にゴム片を設けたので、パイプを把持しただけの状態であってもケースはズレ難く、固定状態を保つことができる。
また、ブロック体を閉じておけば、本来の握り操作で呼び出すスイッチとして使用することもできる。
【００２６】
尚、上記実施形態は、何れも同一の長方形状としているが、全体に丸みを持たせて楕円形状としても良い。また、ケース本体とブロック体を同一形状としているが、ブロック体はケース本体より薄く形成しても差し支えない。また、第３実施形態のみスイッチ板の押圧調整手段を設けているが、他の形態にも容易に設けることができる。
更に、第４実施形態では、ゴム片に窪みを設けてパイプを把持し易くしているが、単に板状のゴム片を貼着しただけでも把持操作には効果的であるし、第２、第３の実施形態においても、ケース本体及びブロック体のテーブル等への接触面に、マグネットに代えてシート状のゴム片を貼着しても良い。
また、第４実施形態では２分割したブロック体の夫々に、トルクヒンジ１９を設けてベッドのパイプ部を把持可能としているが、ブロック体が２分割されていない図２に示す第２実施形態の構成において、ブロック体１０にトルクヒンジを設けてもパイプの把持は可能である。
【図面の簡単な説明】
【００２７】
【図１】本発明に係るナースコールの呼出スイッチの第１実施形態を示す斜視図である。
【図２】本発明に係るナースコールの呼出スイッチの第２実施形態を示し、（ａ）は斜視図、（ｂ）はブロック体を開いた状態の斜視図である。
【図３】本発明に係るナースコールの呼出スイッチの第３実施形態を示し、（ａ）は上方視斜視図、（ｂ）は下方視斜視図である。
【図４】図３のブロック体を開いた状態を示し、（ａ）は上方視斜視図、（ｂ）は下方視斜視図である。
【図５】図４のＡ−Ａ線で切断した説明図である。
【図６】本発明に係るナースコールの呼出スイッチの第４実施形態を示し、（ａ）は上方視斜視図、（ｂ）は下方視斜視図である。
【図７】図６の呼出スイッチをパイプに取り付けた状態を示し、（ａ）は上方視斜視図、（ｂ）は下方視斜視図である。
【符号の説明】
【００２８】
１・・ケース（有底ケース）、１ａ・・開口部、２・・スイッチ板、５・・ケース本体（有底ケース本体）、５ａ・・開口部、６・・ブロック体、７・・ヒンジ部材、９・・ケース本体（有底ケース本体）、９ａ・・開口部、１０・・ブロック体、１０ａ・・左ブロック体、１０ｂ・・右ブロック体、１３・・コイルバネ（バネ手段）、１５・・調整コマ（押圧調整手段）、１７・・ケース本体（有底ケース本体）、１７ａ・・開口部、１８・・ブロック体、１８ａ・・左ブロック体、１８ｂ・・右ブロック体、１９・・トルクヒンジ。
【図１】
2005267979.tif 000003
【図２】
2005267979.tif 000004
【図３】
2005267979.tif 000005
【図４】
2005267979.tif 000006
【図５】
2005267979.tif 000007
【図６】
2005267979.tif 000008
【図７】
2005267979.tif 000009